(57)【要約】【課題】  検知機能の検査に好適なテストチャート、そのテストチャートを印刷する印刷システム、テストチャート印刷方法、テストチャート印刷プログラム、テストチャート印刷プログラムを記録した記録媒体を提供する。【解決手段】  文書を印刷する印刷手段を有し、文書が機密文書である場合、機密文書であることを示す機密パターンとともに機密文書を印刷する印刷システムであって、機密パターンを印刷するための機密パターンデータを生成するパターンデータ生成手段と、機密文書のデータである機密文書データに機密パターンデータを合成する合成手段と、印刷された機密パターンを検知する機密パターン検知手段と機密パターン検知手段を検査するための用紙であり、機密パターンが用紙の一部に印刷された用紙であるテストチャートを印刷するためのテストチャートデータを生成するテストチャートデータ生成手段とを有する。【選択図】  図５
2006231569.tif 000002
【特許請求の範囲】
【請求項１】
文書を印刷する印刷手段を有し、前記文書が機密文書である場合、機密文書であることを示す機密パターンとともに前記機密文書を印刷する印刷システムであって、
前記機密パターンを印刷するための機密パターンデータを生成するパターンデータ生成手段と、
前記機密文書のデータである機密文書データに前記機密パターンデータを合成する合成手段と、
印刷された前記機密パターンを検知する機密パターン検知手段と
前記機密パターン検知手段を検査するための用紙であり、前記機密パターンが前記用紙の一部に印刷された用紙であるテストチャートを印刷するためのテストチャートデータを生成するテストチャートデータ生成手段と
を有することを特徴とする印刷システム。
【請求項２】
前記テストチャートデータ生成手段は、
前記機密パターンを前記用紙の縁に沿って印刷されるように前記テストチャートデータを生成することを特徴とする請求項１に記載の印刷システム。
【請求項３】
前記テストチャートデータ生成手段は、
前記機密パターンを、矩形の用紙の辺沿いに所定の幅で印刷されるように前記テストチャートデータを生成することを特徴とする請求項１に記載の印刷システム。
【請求項４】
前記テストチャートデータ生成手段は、
前記機密パターンで構成される図形を、矩形の用紙の中心に印刷されるように前記テストチャートデータを生成することを特徴とする請求項１に記載の印刷システム。
【請求項５】
前記印刷システムは、
前記印刷手段を有する印刷装置と、
前記テストチャートデータ生成手段を有する情報処理装置とで構成されることを特徴とする請求項１に記載の印刷システム。
【請求項６】
前記機密パターンは、ドットで構成されるドットパターンであり、
前記機密パターン検知手段は、前記ドットパターンのドット密度またはドット間の間隔により前記機密パターンを検知することを特徴とする請求項１から５のいずれか１項に記載の印刷システム。
【請求項７】
機密文書であることを示す機密パターンが印刷された文書から前記機密パターンを検知する機密パターン検知手段を有する印刷システムでの、前記機密パターン検知手段を検査するための用紙であるテストチャートを印刷するテストチャート印刷方法であって、
前記機密パターンが前記用紙の一部に印刷されるように前記テストチャートを印刷するためのテストチャートデータを生成するテストチャートデータ生成段階と、
前記テストチャートデータに基づきテストチャートを印刷するテストチャート印刷段階と
を有することを特徴とするテストチャート印刷方法。
【請求項８】
前記テストチャートデータ生成段階では、
前記機密パターンを前記用紙の縁に沿って印刷されるように前記テストチャートデータを生成することを特徴とする請求項７に記載のテストチャート印刷方法。
【請求項９】
前記テストチャートデータ生成段階では、
前記機密パターンを、矩形の用紙の辺沿いに所定の幅で印刷されるように前記テストチャートデータを生成することを特徴とする請求項７に記載のテストチャート印刷方法。
【請求項１０】
前記テストチャートデータ生成段階では、
前記機密パターンで構成される図形を、矩形の用紙の中心に印刷されるように前記テストチャートデータを生成することを特徴とする請求項７に記載のテストチャート印刷方法。
【請求項１１】
前記機密パターンは、ドットで構成されるドットパターンであることを特徴とする請求項７から１０のいずれか１項に記載のテストチャート印刷方法。
【請求項１２】
コンピュータに、
機密文書であることを示す機密パターンが用紙の一部に印刷されるように印刷するためのテストチャートデータを生成するテストチャートデータ生成手順と、
前記テストチャートデータに基づきテストチャートを印刷するテストチャート印刷手順と
を実行させるためのテストチャート印刷プログラム。
【請求項１３】
前記テストチャートデータ生成手順では、
前記機密パターンを前記用紙の縁に沿って印刷されるように前記テストチャートデータを生成することを特徴とする請求項１２に記載のテストチャート印刷プログラム。
【請求項１４】
前記テストチャートデータ生成手順では、
前記機密パターンを、矩形の用紙の辺沿いに所定の幅で印刷されるように前記テストチャートデータを生成することを特徴とする請求項１２に記載のテストチャート印刷プログラム。
【請求項１５】
前記テストチャートデータ生成手順では、
前記機密パターンで構成される図形を、矩形の用紙の中心に印刷されるように前記テストチャートデータを生成することを特徴とする請求項１２に記載のテストチャート印刷プログラム。
【請求項１６】
前記機密パターンは、ドットで構成されるドットパターンであることを特徴とする請求項１２から１５のいずれか１項に記載のテストチャート印刷プログラム。
【請求項１７】
請求項１２から１６に記載のテストチャート印刷プログラムが記録されたコンピュータ読み取り可能な記録媒体。
【請求項１８】
文書が機密文書であることを示す機密パターンが印刷され、前記機密パターンを検知する検知装置を検査するための用紙であるテストチャートであって、
前記機密パターンが前記用紙の一部に印刷されていることを特徴とするテストチャート。
【請求項１９】
前記機密パターンが前記用紙の縁に沿って印刷されていることを特徴とする請求項１８に記載のテストチャート。
【請求項２０】
前記機密パターンが矩形の用紙の辺沿いに所定の幅で印刷されていることを特徴とする請求項１８に記載のテストチャート。
【請求項２１】
前記機密パターンで構成される図形が、矩形の用紙の中心に印刷されていることを特徴とする請求項１８に記載のテストチャート。
【請求項２２】
前記機密パターンがドットで構成されるドットパターンであることを特徴とする請求項１８から２１のいずれか１項に記載のテストチャート。
【発明の詳細な説明】
【技術分野】
【０００１】
本発明は、機密文書であることを示す機密パターンが印刷されたテストチャート、そのテストチャートを印刷する印刷システム、テストチャート印刷方法、テストチャート印刷プログラム、テストチャート印刷プログラムを記録した記録媒体に関する
【背景技術】
【０００２】
複写禁止としたい機密文書の背景に複写禁止を意味するドットパターン（以下、機密パターンと記す）を重ねて印刷し、この機密パターンを複写機で検知して複写を禁止する画像処理装置がある。
【０００３】
このようなシステムを運用する際には、複写禁止する文書を作成する印刷装置と、これを複写する際に検知して複写禁止制御を行う検知側の複写装置の両方が正しく機能しているかを、製品出荷時や着荷時に検査する必要がある。
【０００４】
従来、予め出荷着荷対象装置以外の基準となる印刷装置で作成した機密パターンの印刷されたテストチャートを使って出荷時の検査が行われ、このテストチャートを製品に同梱し、検知する複写装置側の検知機能の検査を着荷時に行っていた。
【０００５】
この着荷時には、対象印刷装置で印刷された機密パターンが正しく印刷されているかの検査も必要であるが、着荷先にテストチャートの画像データを持ち込んで印刷することが大変なため、着荷先の印刷装置で空の画像データ（白紙）に機密パターンのみを全面印刷したもので検査していた。
【特許文献１】特開平７−３８７６４号公報
【特許文献２】特許第３０７８４３３号公報
【特許文献３】特開２０００−１３４４５０号公報
【発明の開示】
【発明が解決しようとする課題】
【０００６】
しかしながら、空の画像データに複写禁止を意味するドットパターンのみを全面印刷したものは、全面に印刷された機密パターンがすべて有効となるため、テストチャートとしては検知が容易すぎるという問題があった。
【０００７】
また、予め作成したテストチャートを製品に同梱する場合も手間のかかる問題があった。
【０００８】
本発明はこのような問題点に鑑み、検知機能の検査に好適なテストチャート、そのテストチャートを印刷する印刷システム、テストチャート印刷方法、テストチャート印刷プログラム、テストチャート印刷プログラムを記録した記録媒体を提供することを目的とする。
【課題を解決するための手段】
【０００９】
上記課題を解決するために、本発明は、文書を印刷する印刷手段を有し、前記文書が機密文書である場合、機密文書であることを示す機密パターンとともに前記機密文書を印刷する印刷システムであって、前記機密パターンを印刷するための機密パターンデータを生成するパターンデータ生成手段と、前記機密文書のデータである機密文書データに前記機密パターンデータを合成する合成手段と、印刷された前記機密パターンを検知する機密パターン検知手段と前記機密パターン検知手段を検査するための用紙であり、前記機密パターンが前記用紙の一部に印刷された用紙であるテストチャートを印刷するためのテストチャートデータを生成するテストチャートデータ生成手段とを有することを特徴とする。
【００１０】
上記課題を解決するために、本発明は、前記テストチャートデータ生成手段は、前記機密パターンを前記用紙の縁に沿って印刷されるように前記テストチャートデータを生成することを特徴とする。
【００１１】
上記課題を解決するために、本発明は、前記テストチャートデータ生成手段は、前記機密パターンを、矩形の用紙の辺沿いに所定の幅で印刷されるように前記テストチャートデータを生成することを特徴とする。
【００１２】
上記課題を解決するために、本発明は、前記テストチャートデータ生成手段は、前記機密パターンで構成される図形を、矩形の用紙の中心に印刷されるように前記テストチャートデータを生成することを特徴とする。
【００１３】
上記課題を解決するために、本発明は、前記印刷システムは、前記印刷手段を有する印刷装置と、前記テストチャートデータ生成手段を有する情報処理装置とで構成されることを特徴とする。
【００１４】
上記課題を解決するために、本発明は、前記機密パターンは、ドットで構成されるドットパターンであり、前記機密パターン検知手段は、前記ドットパターンのドット密度またはドット間の間隔により前記機密パターンを検知することを特徴とする。
【００１５】
上記課題を解決するために、本発明は、機密文書であることを示す機密パターンが印刷された文書から前記機密パターンを検知する機密パターン検知手段を有する印刷システムでの、前記機密パターン検知手段を検査するための用紙であるテストチャートを印刷するテストチャート印刷方法であって、前記機密パターンが前記用紙の一部に印刷されるように前記テストチャートを印刷するためのテストチャートデータを生成するテストチャートデータ生成段階と、前記テストチャートデータに基づきテストチャートを印刷するテストチャート印刷段階とを有することを特徴とする。
【００１６】
上記課題を解決するために、本発明は、前記テストチャートデータ生成段階では、前記機密パターンを前記用紙の縁に沿って印刷されるように前記テストチャートデータを生成することを特徴とする。
【００１７】
上記課題を解決するために、本発明は、前記テストチャートデータ生成段階では、前記機密パターンを、矩形の用紙の辺沿いに所定の幅で印刷されるように前記テストチャートデータを生成することを特徴とする。
【００１８】
上記課題を解決するために、本発明は、前記テストチャートデータ生成段階では、前記機密パターンで構成される図形を、矩形の用紙の中心に印刷されるように前記テストチャートデータを生成することを特徴とする。
【００１９】
上記課題を解決するために、本発明は、前記機密パターンは、ドットで構成されるドットパターンであることを特徴とする。
【００２０】
上記課題を解決するために、本発明は、コンピュータに、機密文書であることを示す機密パターンが用紙の一部に印刷されるように印刷するためのテストチャートデータを生成するテストチャートデータ生成手順と、前記テストチャートデータに基づきテストチャートを印刷するテストチャート印刷手順とを実行させるためのテストチャート印刷プログラム。
【００２１】
上記課題を解決するために、本発明は、前記テストチャートデータ生成手順では、前記機密パターンを前記用紙の縁に沿って印刷されるように前記テストチャートデータを生成することを特徴とする。
【００２２】
上記課題を解決するために、本発明は、前記テストチャートデータ生成手順では、前記機密パターンを、矩形の用紙の辺沿いに所定の幅で印刷されるように前記テストチャートデータを生成することを特徴とする。
【００２３】
上記課題を解決するために、本発明は、前記テストチャートデータ生成手順では、前記機密パターンで構成される図形を、矩形の用紙の中心に印刷されるように前記テストチャートデータを生成することを特徴とする。
【００２４】
上記課題を解決するために、本発明は、前記機密パターンは、ドットで構成されるドットパターンであることを特徴とする。
【００２５】
上記課題を解決するために、本発明は、請求項１２から１６に記載のテストチャート印刷プログラムが記録されたコンピュータ読み取り可能な記録媒体。
【００２６】
上記課題を解決するために、本発明は、文書が機密文書であることを示す機密パターンが印刷され、前記機密パターンを検知する検知装置を検査するための用紙であるテストチャートであって、前記機密パターンが前記用紙の一部に印刷されていることを特徴とする。
【００２７】
上記課題を解決するために、本発明は、前記機密パターンが前記用紙の縁に沿って印刷されていることを特徴とする。
【００２８】
上記課題を解決するために、本発明は、前記機密パターンが矩形の用紙の辺沿いに所定の幅で印刷されていることを特徴とする。
【００２９】
上記課題を解決するために、本発明は、前記機密パターンで構成される図形が、矩形の用紙の中心に印刷されていることを特徴とする。
【００３０】
上記課題を解決するために、本発明は、前記機密パターンがドットで構成されるドットパターンであることを特徴とする。
【発明の効果】
【００３１】
本発明によれば、検知機能の検査に好適なテストチャート、そのテストチャートを印刷する印刷システム、テストチャート印刷方法、テストチャート印刷プログラム、テストチャート印刷プログラムを記録した記録媒体を提供できる。
【発明を実施するための最良の形態】
【００３２】
以下、本発明の実施の形態について図面に基づいて説明する。
【００３３】
図１は、印刷システムの構成を示すものである。印刷システムは、スキャナ１０１と、機密パターン検知処理部１０３と、スキャナ画像処理部１０２と、印刷部２０９と、指示入力部２０１と、全体制御部２０２と、印刷データ生成処理部２０３とを含むように構成される。
【００３４】
指示入力部２０１は、印刷に関する指示が入力されるものである。全体制御部２０２は、指示入力部２０１と印刷データ生成処理部２０３を制御するものである。印刷データ生成処理部２０３は、画像データから印刷データを生成するものである。印刷部２０９は、印刷を行うエンジンである。スキャナ部１０１は、文書を読み込むものである。機密パターン検知処理部１０３は、読み込まれた文書である文書データから機密パターンを検知するものである。
【００３５】
これらのうち、印刷部２０９は印刷手段に対応する。機密パターン検知処理部１０３は、機密パターン検知手段に対応する。
【００３６】
以上説明した印刷システムは、例えばＭＦＰ（Multi Function Printer）のように全体として１つの機器としてもよいし、例えば指示入力部２０１、全体制御部２０２、印刷データ生成処理部２０３の３つは、ＰＣなどの情報処理装置上で動作し、プリンタで印刷するような、各部を組合せたものを別の機器で行うようにしてもよい。
【００３７】
次に、図２を用いて印刷データ生成処理部２０３の詳細な構成について説明する。印刷データ生成処理部２０３は、印刷文書データ生成部２０４と、パターンデータ生成部２０５と、テストチャートデータ生成部２０７と、合成部２０６とを含むように構成される。
【００３８】
印刷文書データ生成部２０４は、文書データから印刷するデータを生成するものである。パターンデータ生成部２０５は、機密パターンを生成するものである。機密パターンについては後述する。合成部２０６は、印刷文書データとパターンデータとを合成するものである。テストチャートデータ生成部２０７は、テストチャートを生成するものである。このテストチャートとは、上記機密パターン検知処理部１０３が機密パターンを検知できるかどうかテストするために、テスト用の紙であり、詳細は後述する。
【００３９】
これらのうち、パターンデータ生成部２０５は、パターンデータ生成手段に対応する。合成部２０６は、合成手段に対応する。テストチャートデータ生成部２０７は、テストチャートデータ生成手段に対応する。
【００４０】
上述した機密パターンについて、図３を用いて説明する。図３に示されるドットパターンは、機密パターンの一例である。このドットパターンは、一定のサイズ・配置からなるドットパターンである。ドットパターンに一定の特徴量を持たせ、複写機で読み取った画像データ中の当該特徴量の有無により、機密パターンの検知が可能となる。なお、特徴量の例として、ドット密度やドット間の間隔が挙げられる。
【００４１】
この機密パターンを印刷した文書の例を、図４を用いて説明する。図４には、２つの文書３０１、３０２が示されている。文書３０１は、機密パターンを持たない通常の文書であり、文書３０２は、機密パターンを持つ文書である。文書３０２の背景にドットパターンが合成されていることが示されている。
【００４２】
このような機密パターンが検知されると、文書をスキャンしたスキャン画像は画像無効化処理により画像破壊され、まともにコピーされない。画像破壊されたものは、例えば用紙のほとんどすべてが黒で印刷されたものとなる。このようにすることで機密文書のコピーを防止する仕掛けとなっている。
【００４３】
次に、テストチャートについて、図５を用いて説明する。図５に示されるように、テストチャート３０３は、用紙の一部に機密パターン３０５と、黒色部分３０６とが印刷された領域を有する紙である。このテストチャート３０３の機密パターン３０５側から画像処理装置に読み込ませ、機密パターン検知処理部１０３のテストを行う。また、テストチャート３０３には、機密パターン３０５と黒色部分３０６とで作られる矩形が紙全体の大きさより若干小さいため、余白部があることが示されている。このテストチャートについては、後に詳しく説明する。
【００４４】
次に、印刷システムの処理を、図６のフローチャートを用いて説明する。ステップＳ１０１で、まず指示入力部２０１が、利用者からの印刷指示入力を受信する。ここで、利用者とは、印刷を指示する人間の他に、印刷指示を行う装置やプログラムなども含む。
【００４５】
また、この印刷指示には、印刷対象となる文書データまたは文書データにアクセスするための情報の指示またはテストチャート印刷の指示が含まれる。この文書データには、機密文書であるか否かなどを示す文書属性が含まれていてもよい。また、この印刷指示には、文書データ以外に、機密印刷するかしないかの情報が含まれていてもよい。
【００４６】
次に、全体制御部１０２は、ステップＳ１０２で、テストチャート印刷指示かどうかを判定する。テストチャートの印刷の場合、テストチャートデータ生成段階に対応するステップＳ１０７で、テストチャートデータが生成され、ステップＳ１０８で、そのテストチャートデータが印刷データとして印刷装置へ出力される。
【００４７】
テストチャート印刷でない場合、ステップＳ１０３で、印刷文書データ生成部２０４は、印刷対象となる文書データから印刷データを生成する。印刷データの形式は、最終的に印刷装置に送られる印刷データの形式に依存し、印刷データの形式は印刷装置に依存する。当該部分は通常のプリンタによる文書印刷と同等である。
【００４８】
次に、全体制御部２０２は、ステップＳ１０４で、印刷対象となる文書データが機密印刷対象の機密文書であるかどうか判断する。この判断は、入力された印刷指示中の情報または対象文書属性情報による。
【００４９】
より具体的には、印刷指示中に、機密印刷するとの指示が含まれる場合に機密文書であるとする。または、印刷対象文書の属性として、機密印刷するとの情報が含まれる場合に機密文書であるとする。または、前記印刷指示および属性の両方が機密印刷である場合に機密文書であるとする。
【００５０】
このステップＳ１０４で、文書データが機密文書でないと判定された場合、ステップＳ１０８へ処理が進む。
【００５１】
ステップＳ１０４で、文書データが機密印刷対象であると判定された場合、ステップＳ１０５でパターンデータ生成部２０５はパターンデータ生成を行う。
【００５２】
パターンデータ生成動作についてより具体的に説明する。一つの処理例として、図３に示したようなある範囲の基本パターンをメモリ等に保持しておき、その基本パターンデータを読み出し、文書のサイズ全面に相当するだけ繰り返し配置することが挙げられ、この処理により文書全面サイズのパターンデータを生成することができる。
【００５３】
また、他の処理例として、パターンデータ生成部２０５がＰＣ上のプログラムとして動作する場合について説明すると、ＰＣ内または外部のメモリ等に保持されたパターン特徴量にしたがって、ＰＣのＣＰＵで計算することによって、基本パターン画像データを生成することが挙げられる。この生成された基本パターンを、文書サイズ全面に相当するだけ繰り返し配置することで、文書全面サイズのパターンデータが生成される。
【００５４】
フローチャートの説明に戻る。ステップＳ１０３において生成された印刷データと、ステップＳ１０５にて生成されたパターンデータが、ステップＳ１０５で合成部２０６により合成され、新たな印刷データが生成される。
【００５５】
合成処理の一例として、印刷文書データが白黒２値の画素配置であり、パターンデータも白黒２値の画素配置である場合、単純にＯＲ処理(どちらかの画素が黒ならば合成後の画素を黒とする)を行うことが挙げられる。
【００５６】
または、印刷データの形式として「背景」という属性がある場合、パターンデータを「背景」として印刷データを構成する。
【００５７】
次のテストチャート印刷段階に対応するステップＳ１０８では、印刷データが印刷装置へ出力される。この印刷データは、ステップＳ１０３で生成された印刷文書データか、ステップＳ１０６で合成されたデータである。
【００５８】
以上説明したフローチャートでは、ステップＳ１０３の印刷データの生成が、ステップＳ１０５のパターンデータの生成より先に行われる手順となっているが、合成前であればどちらが先でも構わない。
【００５９】
次に、テストチャートの詳細について説明する。テストチャートは、その機密パターンのレイアウトで多くの種類が考えられる。このテストチャートにおける機密パターンのレイアウト例を紹介する。
【００６０】
テストチャートは、機密パターンを所定サイズの用紙上に、所定の幅で用紙の外周すべてまたは４辺のうちのどれかに沿って上述した余白部を設けてこの余白部のすべてまたはその一部にのみその機密パターンを配置した印刷用画像データから印刷される。
【００６１】
図７は、８つのテストチャートにおける機密パターンのレイアウト例を示している。これらのレイアウト例では、機密パターンはグレーの部分であり、機密パターンと機密パターンに最も近い用紙の辺とで作られる余白部は省略してある。
【００６２】
このように、用紙の一部にのみ機密パターンが印刷されるのは、用紙全面に機密パターンを印刷したものはテストチャートとして検知しやすぎる問題があるためである。この場合、検査用に通常時より検知しにくくなるモードを用意しておけば良いが、検査用モードへの切り替えなどの手間がかかる。ここでは特別な検査用の検知モードは用意せず、通常の検知モードのままで検査することを前提とする。
【００６３】
また、機密文書のコンテンツ部の文字や絵柄間の隙間の量は、各々の機密文書依存で規定できないので、コンテンツ部以外である周囲余白部の白地上の機密パターンだけが常に検知を期待できる部分である。したがって図６に示されるようなレイアウトで用紙周囲余白部の全部または一部にのみ機密パターンを配置したものを検査用チャートに用いることが望ましい。
【００６４】
テストチャート４０１は、用紙の外周すべてに機密パターンを配置したものである。テストチャート４０２、４０３、４０４、４０５は、用紙の外周の１辺にのみ機密パターンを配置したものである。テストチャート４０６、４０７、４０８は、用紙の外周の２辺に機密パターンを配置したものである。このうち、テストチャート４０８の機密パターンの領域は、テストチャート４０６、４０７での機密パターンの領域の半分となっている。
【００６５】
以上のように、機密パターンは、矩形の用紙の辺沿いに所定の幅で印刷される。さらに抽象的に表現すると、機密パターンは、用紙の縁に沿って印刷される。これは、用紙の縁が、用紙を読み込む際に最初に読み込まれるためである。最初に読み込まれると、機密パターンの検知が早くなり、それにより画像破壊される部分が多くなり、機密文書のコピーを防ぐことが可能となる。
【００６６】
以上のテストチャートの他に、図８に示されるようなテストチャートもある。図８のテストチャート４０９は、用紙の中央に棒状に機密パターンが配置されたものである。テストチャート４１０は、文字「Ｘ」のように機密パターンが配置されたものである。テストチャート４１１は、円状に機密パターンが配置されたものである。
【００６７】
これらのテストチャートのように、機密パターンで構成される「Ｘ」や円などの図形を、矩形の用紙の中心に印刷するようにしてもよい。
【００６８】
以上説明したテストチャートのうち、機密パターンを用紙周囲余白部の全部に設けたものは、図９に示されるように、用紙４２１を種々の向き（傾き）で置いた場合のすべての向きに対しての検査に使用可能な利点がある。
【００６９】
しかし、機密パターンを用紙周囲余白部の全部に設けたテストチャートは、スキャン動作と印刷動作を平行して行う場合、機密パターンを検知したことがほとんどすべての用紙が印刷された後で確定することがある。
【００７０】
具体的に、図１０を用いて説明する。図１０には、検知位置の異なる２つのパターンＡ、Ｂが示されている。グレーの部分は、画像破壊されて印刷される部分を示し、それぞれ画像破壊４２４、４２５とする。
【００７１】
パターンＡは、検知位置４３０が早い例を示し、パターンＢは、検知位置４３１が遅い例を示している。パターンＡのように検知位置が早い場合は、画像破壊４２４の面積は大きく、パターンＢのように検知位置が遅い場合は、画像破壊４２５の面積は小さい。
【００７２】
このように、スキャン動作と印刷動作が平行して行われる場合、検知判定が出るまでのスキャン画像は画像破壊されずに印刷されることになるが、このためテストチャート用の機密パターン部を原稿周囲余白部の全部に設けていると、最悪の場合、検知はほとんどすべての用紙内容が出力された後で確定し、検査の判定がしづらい。
【００７３】
すなわちパターンＢに示すように検知位置が遅れれば、画像破壊は、パターンＢに示されるように原稿のごく一部となる。
【００７４】
パターンＡに示すように検知位置が早ければ、用紙の多くの部分が画像破壊されうるので、例えば原稿の１／２以上出力されたら検査不合格などの判定を視察で行うのは簡単でない。
【００７５】
そこで、図５、７、８に示したように、始めから機密パターンを用紙の全部でなく、用紙をスキャンする開始端の一部にのみ機密パターンを配置したレイアウトが有効である。
【００７６】
例えば、テストチャート４０２は、用紙の左端をスキャンの開始端になるようにして使用するとよい。テストチャート４０２の機密パターンで検知ができなかった場合は、画像破壊されずに原稿すべての部分が出力され、検知ができた場合は、用紙のほぼすべてが画像破壊される。
【００７７】
図１１のパターンＡは、その場合の画像破壊４２６を示している。テストチャート４０２において、機密パターンが検知されるとすれば、その位置は検知位置４３２の近傍であるため、画像破壊４２６のように、用紙のほとんどが画像破壊して印刷されることとなる。
【００７８】
このように機密パターンを一部とすることにより、検査結果の判定は、ほとんどの画像が破壊されているか、全くされていないかの二者択一的になり視察でも容易となる。
【００７９】
図１１のパターンＢは、テストチャート４０８を用いた場合の例であり、用紙を半時計周り４５度回転して、テストチャート４０８は、左側からスキャンする場合に使用するとよい。パターンＢに示される検知位置９３３は、機密パターンのほとんど最後のあたりで検地されたもので、その後、用紙は画像破壊４２７に示されるように、ほとんどが画像破壊されて印刷される。
【００８０】
次に、上記テストチャートを印刷する場合のユーザインタフェースについて説明する。まず、図１２を用いてＭＦＰの場合について説明する。図１２に示される画面５０１、５０２、５０３は、ＭＦＰに備わるオペレーションパネルに表示される画面である。
【００８１】
画面５０１は、プリンタやコピーなどの設定を行う際の最初の画面であり、各設定ボタン５１２が表示される。利用者は、この中からプリンタ設定ボタン５１１を押下する。利用者がプリンタ設定ボタン５１１を押下すると、画面は画面５０２に遷移する。画面５０２には、プリンタに関する各設定ボタン５１３が表示される。利用者は、この中からテストチャート印刷設定ボタン５１５を押下する。利用者がテストチャート印刷設定ボタン５１５を押下すると、画面は画面５０３に遷移する。画面５０３には、各テストチャート５１６と、チェックボックス５１７と、印刷ボタン５１８とが表示される。
【００８２】
各テストチャート５１６は、図７で説明したテストチャートである。この各テストチャート５１６から、利用者が印刷したいテストチャートに対応するチェックボックス５１７をチェックし、印刷ボタン５１８を押下するとテストチャートが印刷される。
【００８３】
次に、図１で説明した指示入力部２０１、全体制御部２０２、印刷データ生成処理部２０３の３つがＰＣ上で動作する場合のユーザインタフェースについて、図１３を用いて説明する。
【００８４】
図１３に示される画面５０４、５０５は、ＰＣのディスプレイに表示されるウインドウなどの画面である。
【００８５】
画面５０４は、プリンタドライバの画面であり、各メニュー５２０が表示される。利用者は、この中からプリンタ設定メニュー５２１をクリックする。利用者がプリンタ設定メニュー５２１をクリックすると、画面は画面５０５に遷移する。画面５０５には、プリンタに関する各設定メニュー５２２と、各テストチャート５１６と、チェックボックス５１７と、印刷ボタン５１８とが表示される。この各テストチャート５１６から、利用者が印刷したいテストチャートに対応するチェックボックス５１７をチェックし、印刷ボタン５１８をクリックするとテストチャートが印刷される。
【００８６】
以上説明したように本実施の形態によれば、機密文書を機密パターンとともに印刷する印刷システムにおいて、機密パターンが印刷できていることを検査するテストチャートをユーザの指示によって容易に印刷することができる。また機密パターンの検知の検査も視察による判定が容易に行える。
【図面の簡単な説明】
【００８７】
【図１】本発明の実施例における印刷システムの構成図である。
【図２】印刷データ生成処理部の構成図である。
【図３】機密パターンを示す図である。
【図４】機密パターンを印刷した文書の例を示す図である。
【図５】テストチャートを示す図である。
【図６】印刷システムの処理を示すフローチャートである。
【図７】各種テストチャートを示す図である（その１）。
【図８】各種テストチャートを示す図である（その２）。
【図９】用紙を傾いて置いた場合のスキャンを示す図である。
【図１０】検知位置の例を示す図である。
【図１１】画像破壊の例を示す図である。
【図１２】ユーザインタフェースを示す図である（その１）。
【図１３】ユーザインタフェースを示す図である（その２）。
【符号の説明】
【００８８】
１０１  スキャナ部
１０２  スキャナ画像処理部
１０３  機密パターン検知処理部
２０１  指示入力部
２０２  全体制御部
２０３  印刷データ生成処理部
２０４  印刷文書データ生成部
２０５  パターンデータ生成部
２０６  合成部
２０８  テストチャートデータ生成部
２０９  印刷部
３０１、３０２  文書
３０３、４０１、４０２、４０３、４０４、４０５、４０６、４０７、４０８、４０９、４１０、４１１  テストチャート
３０５  機密パターン
３０６  黒色部分
４２１  用紙
４２４、４２５、４２６、４２７  画像破壊
４３０、４３１、４３２、４３３  検知位置
５０１、５０２、５０３、５０４、５０５  画面
５１１  プリンタ設定ボタン
５１２、５１３  各設定ボタン
５１５  テストチャート印刷設定ボタン
５１６  各テストチャート
５１７  チェックボックス
５１８  印刷ボタン
５２０  各メニュー
５２１  プリンタ設定メニュー
５２２  各設定メニュー
【図１】
2006231569.tif 000003
【図２】
2006231569.tif 000004
【図３】
2006231569.tif 000005
【図４】
2006231569.tif 000006
【図５】
2006231569.tif 000007
【図６】
2006231569.tif 000008
【図７】
2006231569.tif 000009
【図８】
2006231569.tif 000010
【図９】
2006231569.tif 000011
【図１０】
2006231569.tif 000012
【図１１】
2006231569.tif 000013
【図１２】
2006231569.tif 000014
【図１３】
2006231569.tif 000015